(57)【要約】本発明は、ビットストリームを復号化してオーディオ出力信号を生成するオーディオ復号器を提供し、ビットストリームは少なくとも１つの不活性期へと続く少なくとも１つの活性期を含み、ビットストリームは、その中に背景ノイズのスペクトルを記述する少なくとも１つの符号化された無音挿入記述子フレームを有する。オーディオ復号器は、無音挿入記述子フレームを復号化して背景ノイズのスペクトルを再構成する無音挿入記述子復号器と、活性期間中にビットストリームからオーディオ出力信号を再構成する復号化装置と、オーディオ出力信号のスペクトルを決定するスペクトル変換器と、スペクトル変換器によって提供されたオーディオ出力信号のスペクトルに基づいてオーディオ出力信号のノイズの第１スペクトルを決定するノイズ推定装置であって、オーディオ出力信号のノイズの第１スペクトルは背景ノイズのスペクトルよりも高いスペクトル分解能を持つ、ノイズ推定装置と、オーディオ出力信号のノイズの第１スペクトルに基づいて、オーディオ出力信号のノイズの第２スペクトルを確定する分解能変換器であって、オーディオ出力信号のノイズの第２スペクトルは背景ノイズのスペクトルと同じスペクトル分解能を持つ、分解能変換器と、無音挿入記述子復号器によって提供された背景ノイズのスペクトルと、分解能変換器によって提供されたオーディオ出力信号のノイズの第２スペクトルとに基づいて、コンフォートノイズのスペクトルのスケーリングファクタを計算するスケーリングファクタ演算装置と、スケーリングファクタに基づいてコンフォートノイズのスペクトルを計算するコンフォートノイズ・スペクトル生成器と、を含むコンフォートノイズ・スペクトル推定装置と、コンフォートノイズのスペクトルに基づいて不活性期間中にコンフォートノイズを生成するコンフォートノイズ発生器と、を含む。【選択図】  図１
2016500452.tif 000002
【特許請求の範囲】
【請求項１】
ビットストリーム（ＢＳ）を復号化して、前記ビットストリーム（ＢＳ）からオーディオ出力信号（ＯＳ）を生成するオーディオ復号器であって、前記ビットストリーム（ＢＳ）は少なくとも１つの不活性期へと続く少なくとも１つの活性期を含み、前記ビットストリーム（ＢＳ）は、その中に背景ノイズのスペクトル（ＳＢＮ）を記述する少なくとも１つの符号化された無音挿入記述子フレーム（ＳＩ）を有しており、
前記無音挿入記述子フレーム（ＳＩ）を復号化して、前記背景ノイズのスペクトル（ＳＢＮ）を再構成するよう構成された無音挿入記述子復号器（３）と、
活性期間中に前記ビットストリームから前記オーディオ出力信号（ＯＳ）を再構成するよう構成された復号化装置（２）と、
前記オーディオ出力信号（ＯＳ）のスペクトル（ＳＡＳ）を決定するよう構成されたスペクトル変換器（４）と、
前記スペクトル変換器（４）によって提供されたオーディオ出力信号（ＯＳ）のスペクトル（ＳＡＳ）に基づいて、前記オーディオ出力信号（ＯＳ）のノイズの第１スペクトル（ＳＮ１）を決定するよう構成されたノイズ推定装置（５）であって、前記オーディオ出力信号（ＯＳ）のノイズの第１スペクトル（ＳＮ１）は前記背景ノイズのスペクトル（ＳＢＮ）よりも高いスペクトル分解能を持つ、ノイズ推定装置（５）と、
前記オーディオ出力信号（ＯＳ）のノイズの第１スペクトル（ＳＮ１）に基づいて、前記オーディオ出力信号（ＯＳ）のノイズの第２スペクトル（ＳＮ２）を確定するよう構成された分解能変換器（６）であって、前記オーディオ出力信号（ＯＳ）のノイズの第２スペクトル（ＳＮ２）は前記背景ノイズのスペクトル（ＳＢＮ）と同じスペクトル分解能を持つ、分解能変換器（６）と、
前記無音挿入記述子復号器（３）によって提供された前記背景ノイズのスペクトル（ＳＢＮ）と、前記分解能変換器（６）によって提供された前記オーディオ出力信号（ＯＳ）のノイズの第２スペクトル（ＳＮ２）とに基づいて、コンフォートノイズ（ＣＮ）のスペクトル（ＳＣＮ）のスケーリングファクタ（ＳＦ）を計算するよう構成されたスケーリングファクタ演算装置（７ａ）と、前記スケーリングファクタ（ＳＦ）に基づいてコンフォートノイズ（ＣＮ）のスペクトル（ＳＣＮ）を計算するよう構成されたコンフォートノイズ・スペクトル生成器（７ｂ）と、を含むコンフォートノイズ・スペクトル推定装置（７）と、
前記コンフォートノイズ（ＣＮ））のスペクトル（ＳＣＮ）に基づいて不活性期間中にコンフォートノイズ（ＣＮ）を生成するよう構成されたコンフォートノイズ発生器（８）と、
を含むオーディオ復号器。
【請求項２】
前記スペクトル分析器（４）は高速フーリエ変換装置（４）を含む、請求項１に記載のオーディオ復号器。
【請求項３】
前記ノイズ推定装置（５）は、前記オーディオ出力信号（ＯＳ）のスペクトル（ＳＡＳ）を前記オーディオ出力信号（ＯＳ）の変換済みスペクトル（ＣＳＡ）へと変換するよう構成された変換装置（９）を含み、前記変換済みスペクトル（ＣＳＡ）は、前記オーディオ出力信号（ＯＳ）の前記スペクトル（ＳＡＳ）と同じ又はそれより低いスペクトル分解能を有し、かつ前記背景ノイズのスペクトル（ＳＢＮ）よりも高いスペクトル分解能を有する、請求項１又は２に記載のオーディオ復号器。
【請求項４】
前記ノイズ推定装置（５）は、前記変換装置（９）によって提供された前記オーディオ出力信号（ＯＳ）の変換済みスペクトル（ＣＳＡ）に基づいて、前記オーディオ出力信号（ＯＳ）のノイズの前記第１スペクトル（ＳＮ１）を決定するよう構成された、ノイズ推定器（１０）を含む、請求項３に記載のオーディオ復号器。
【請求項５】
前記スケーリングファクタ演算装置（７ａ）は、次式に従ってスケーリングファクタ（ＳＦ）を計算するよう構成されており、
2016500452.tif 000036
ここで、
2016500452.tif 000037
は前記コンフォートノイズ（ＣＮ）の周波数帯域グループｉについてのスケーリングファクタ（ＳＦ）を示し、
2016500452.tif 000038
は前記背景ノイズのスペクトル（ＳＢＮ）の周波数帯域グループｉのレベルを示し、
2016500452.tif 000039
は前記オーディオ出力信号（ＯＳ）のノイズの前記第２スペクトル（ＳＮ２）の周波数帯域グループｉのレベルを示し、ｉ＝０，．．．，ＬLR−１であり、ＬLRは前記背景ノイズのスペクトル（ＳＢＮ）及び前記オーディオ出力信号（ＯＳ）のノイズの前記第２スペクトル（ＳＮ２）の周波数帯域グループの数である、請求項１乃至４のいずれか１項に記載のオーディオ復号器。
【請求項６】
前記コンフォートノイズ・スペクトル生成器（７ｂ）は、前記スケーリングファクタ（ＳＦ）と、前記ノイズ推定装置（５）によって提供された前記オーディオ出力信号（ＯＳ）のノイズの前記第１スペクトル（ＳＮ１）とに基づいて、前記コンフォートノイズのスペクトル（ＳＣＮ）を計算するよう構成された、請求項１乃至５のいずれか１項に記載のオーディオ復号器。
【請求項７】
前記コンフォートノイズ・スペクトル生成器（７ｂ）は、次式に従って前記コンフォートノイズのスペクトル（ＳＣＮ）を計算するよう構成されており、
2016500452.tif 000040
ここで、
2016500452.tif 000041
は前記コンフォートノイズ（ＳＣＮ）のスペクトルの周波数帯域ｋのレベルを示し、
2016500452.tif 000042
は前記背景ノイズのスペクトル（ＳＢＮ）と前記オーディオ出力信号のノイズの前記第２スペクトル（ＳＮ２）との周波数帯域グループｉのスケーリングファクタ（ＳＦ）を示し、
2016500452.tif 000043
は前記オーディオ出力信号（ＯＳ）のノイズの前記第１スペクトル（ＳＮ１）の周波数帯域ｋのレベルを示し、ｋ＝ｂLR（ｉ），．．．，ｂLR（ｉ＋１）−１であり、ｂLR（ｉ）は前記周波数帯域グループの１つの第１周波数帯域であり、ｉ＝０，．．．，ＬLR−１であり、ＬLRは前記背景ノイズのスペクトル（ＳＢＮ）及び前記オーディオ出力信号（ＯＳ）のノイズの前記第２スペクトル（ＳＮ２）の周波数帯域グループの数である、請求項１乃至６のいずれか１項に記載のオーディオ復号器。
【請求項８】
前記分解能変換器（６）は、前記オーディオ出力信号（ＯＳ）のノイズの前記第１スペクトル（ＳＮ１）に基づいて前記オーディオ出力信号（ＯＳ）のノイズの第３スペクトル（ＳＮ３）を確定するよう構成された第１変換器ステージ（１１）を含み、前記オーディオ出力信号（ＯＳ）のノイズの前記第３スペクトル（ＳＮ３）のスペクトル分解能は前記オーディオ出力信号（ＯＳ）のノイズの前記第１スペクトル（ＳＮ１）のスペクトル分解能と同じ又はそれより高く、前記分解能変換器（６）は前記オーディオ出力信号（ＯＳ）のノイズの前記第２スペクトル（ＳＮ２）を確定するよう構成された第２変換器ステージ（１２）を含む、請求項１乃至７のいずれか１項に記載のオーディオ復号器。
【請求項９】
前記コンフォートノイズ・スペクトル生成器（７ｂ）は、前記スケーリングファクタ（ＳＦ）と前記分解能変換器（６）の前記第１変換器ステージ（１１）によって提供された前記オーディオ出力信号（ＯＳ）のノイズの前記第３スペクトル（ＳＮ３）とに基づいて、前記コンフォートノイズのスペクトル（ＳＣＮ）を計算するよう構成されている、請求項８に記載のオーディオ復号器。
【請求項１０】
前記コンフォートノイズ・スペクトル生成器（７ｂ）は、次式に従って前記コンフォートノイズのスペクトル（ＳＣＮ）を計算するよう構成され、
2016500452.tif 000044
ここで、
2016500452.tif 000045
は前記コンフォートノイズのスペクトル（ＳＣＮ）の周波数帯域ｋのレベルを示し、
2016500452.tif 000046
は前記背景ノイズのスペクトル（ＳＢＮ）と前記オーディオ出力信号のノイズの前記第２スペクトル（ＳＮ２）との周波数帯域グループｉのスケーリングファクタ（ＳＦ）を示し、
2016500452.tif 000047
は前記オーディオ出力信号（ＯＳ）のノイズの前記第３スペクトル（ＳＮ３）の周波数帯域ｋのレベルを示し、ｋ＝ｂLR（ｉ），．．．，ｂLR（ｉ＋１）−１であり、ｂLR（ｉ）は周波数帯域グループの第１周波数帯域であり、ｉ＝０，．．．，ＬLR−１であり、ＬLRは前記背景ノイズのスペクトル（ＳＢＮ）と前記オーディオ出力信号（ＯＳ）のノイズの前記第２スペクトル（ＳＮ２）との周波数帯域グループの数である、請求項８又は９に記載のオーディオ復号器。
【請求項１１】
前記コンフォートノイズ発生器（８）は、高速フーリエ変換ドメインにおいて前記コンフォートノイズ（ＣＮ）の周波数帯域のレベルを調整する第１高速フーリエ変換器（１５）と、前記第１高速フーリエ変換器（１５）の出力に基づいて前記コンフォートノイズの少なくとも一部を生成する第２高速フーリエ変換器（１６）とを備える、請求項１乃至１０のいずれか１項に記載のオーディオ復号器。
【請求項１２】
前記復号化装置（２）は、活性期間中に前記オーディオ出力信号（ＯＳ）を生成するよう構成されたコア復号器（１７）を備える、請求項１乃至１１のいずれか１項に記載のオーディオ復号器。
【請求項１３】
前記復号化装置（２）は、オーディオ信号（ＡＳ）を生成するよう構成されたコア復号器（１７）と、前記コア復号器（１７）によって生成された前記オーディオ信号（ＡＳ）に基づいて前記オーディオ出力信号（ＯＳ）を生成するよう構成された帯域幅拡張モジュール（２０）とを備える、請求項１乃至１１のいずれか１項に記載のオーディオ復号器。
【請求項１４】
前記帯域幅拡張モジュール（２０）は、スペクトル帯域複製復号器（２１）、直交ミラーフィルタ分析器（２２）、及び／又は直交ミラーフィルタ合成器（２３）を備える、請求項１３に記載のオーディオ復号器。
【請求項１５】
前記高速フーリエ合成器（１５）によって生成された前記コンフォートノイズ（ＣＮ）は、前記帯域幅拡張モジュール（１７）へと供給される、請求項１３又は１４に記載のオーディオ復号器。
【請求項１６】
前記コンフォートノイズ発生器（８）は、直交ミラーフィルタドメインにおいて前記コンフォートノイズ（ＣＮ）の周波数帯域のレベルを調整する直交ミラーフィルタ調整装置（２４）を備え、前記直交ミラーフィルタ合成器（２４）の出力は前記帯域幅拡張モジュール（２０）へと供給される、請求項１３乃至１５のいずれか１項に記載のオーディオ復号器。
【請求項１７】
請求項１乃至１６のいずれか１項に従って設計された復号器（１）と、符号器（１００）と、を備えるシステム。
【請求項１８】
ビットストリーム（ＢＳ）を復号化して、前記ビットストリーム（ＢＳ）からオーディオ出力信号（ＯＳ）を生成する方法であって、前記ビットストリーム（ＢＳ）は少なくとも１つの不活性期へと続く少なくとも１つの活性期を含み、前記ビットストリーム（ＢＳ）は、その中に背景ノイズのスペクトル（ＳＢＮ）を記述する少なくとも１つの符号化された無音挿入記述子フレーム（ＳＩ）を有しており、
前記無音挿入記述子フレーム（ＳＩ）を復号化して、前記背景ノイズのスペクトル（ＳＢＮ）を再構成するステップと、
活性期間中に前記ビットストリームから前記オーディオ出力信号（ＯＳ）を再構成するステップと、
前記オーディオ出力信号（ＯＳ）のスペクトル（ＳＡＳ）を決定するステップと、
前記オーディオ出力信号（ＯＳ）の前記スペクトル（ＳＡＳ）に基づいて、前記オーディオ出力信号（ＯＳ）のノイズの第１スペクトル（ＳＮ１）を決定するステップであって、前記オーディオ出力信号（ＯＳ）のノイズの前記第１スペクトル（ＳＮ１）は前記背景ノイズのスペクトル（ＳＢＮ）よりも高いスペクトル分解能を持つ、ステップと、
前記オーディオ出力信号（ＯＳ）のノイズの前記第１スペクトル（ＳＮ１）に基づいて、前記オーディオ出力信号（ＯＳ）のノイズの第２スペクトル（ＳＮ２）を確定するステップであって、前記オーディオ出力信号（ＯＳ）のノイズの前記第２スペクトル（ＳＮ２）は前記背景ノイズのスペクトル（ＳＢＮ）と同じスペクトル分解能を持つ、ステップと、
前記背景ノイズのスペクトル（ＳＢＮ）と、前記オーディオ出力信号（ＯＳ）のノイズの前記第２スペクトル（ＳＮ２）とに基づいて、コンフォートノイズ（ＣＮ）のスペクトル（ＳＣＮ）のスケーリングファクタ（ＳＦ）を計算するステップと、
前記コンフォートノイズ（ＣＮ）のスペクトル（ＳＣＮ）に基づいて不活性期間中に前記コンフォートノイズ（ＣＮ）を生成するステップと、
を含む方法。
【請求項１９】
コンピュータ又はプロセッサ上で実行された時、請求項１８に記載の方法を実行するためのコンピュータプログラム。
【発明の詳細な説明】
【技術分野】
【０００１】
本発明は、オーディオ信号処理に関し、特にオーディオ信号に対するコンフォートノイズの付加に関するものである。
【背景技術】
【０００２】
コンフォートノイズ生成器は、オーディオ信号、特にスピーチを含むオーディオ信号の不連続伝送（ＤＴＸ）において、通常用いられる。このようなモードでは、オーディオ信号はまず、ボイス活性検出器（ＶＡＤ）によって活性フレームと不活性フレームとに分類される。ＶＡＤの結果に基づき、活性スピーチフレームだけが基準ビットレートで符号化され、伝送される。背景ノイズだけが存在するような長い休止期間の間中は、ビットレートが低減されるか又はゼロにされ、無音挿入記述子フレーム（ＳＩＤフレーム）を使用して背景ノイズが挿話的にかつパラメトリック的に符号化される。そのため、平均ビットレートは有意に低減される。
【０００３】
ノイズは、不活性フレームの期間中にデコーダ側でコンフォートノイズ生成器（ＣＮＧ）によって生成される。ＳＩＤフレームのサイズは、実際上きわめて限定されている。よって、背景ノイズを記述するパラメータの数はできるだけ少数に保たなければならない。この目的のため、ノイズ推定はスベクトル変換の出力において直接的には適用されない。その代わり、例えばバーク尺度に従って、帯域グループの中で入力パワースペクトルを平均化することにより、ノイズ推定は低いスペクトル分解能で適用される。この平均化は算術的又は幾何学的手段のいずれかによって達成され得る。残念ながら、ＳＩＤフレーム内で伝送されるパラメータの個数が制限されると、背景ノイズの微細なスペクトル構造を捕捉できなくなる。よって、ノイズの平滑なスペクトル包絡だけがＣＮＧによって再生され得る。ＶＡＤがＣＮＧフレームをトリガーする際、再生されたコンフォートノイズの平滑なスペクトルと、実際の背景ノイズのスペクトルとの間の不一致は、活性フレーム（信号のノイジーなスピーチ部分の標準的な符号化と復号化とを含む）とＣＮＧフレームとの間の遷移において非常に可聴になり得る。
【発明の概要】
【発明が解決しようとする課題】
【０００４】
本発明の目的は、オーディオ信号処理の改善された概念を提供することである。より詳しくは、本発明の目的は、オーディオ信号に対するコンフォートノイズの付加についての改善された概念を提供することである。本発明の目的は、請求項１に記載のオーディオ復号器と、請求項１７に記載のシステムと、請求項１８に記載の方法と、請求項１９に記載のコンピュータプログラムとによって達成される。
【課題を解決するための手段】
【０００５】
１つの態様において、本発明は、ビットストリームを復号化して、ビットストリームからオーディオ出力信号を生成するオーディオ復号器を提供し、そのビットストリームは少なくとも１つの不活性期へと続く少なくとも１つの活性期を含み、そのビットストリームは、その中に背景ノイズのスペクトルを記述する少なくとも１つの符号化された無音挿入記述子フレームを有する。前記オーディオ復号器は、以下の構成を含む。
無音挿入記述子フレームを復号化して、背景ノイズのスペクトルを再構成するよう構成された無音挿入記述子復号器；
活性期間中にビットストリームからオーディオ出力信号を再構成するよう構成された復号化装置；
オーディオ出力信号のスペクトルを決定するよう構成されたスペクトル変換器；
スペクトル変換器によって提供されたオーディオ出力信号のスペクトルに基づいて、オーディオ出力信号のノイズの第１スペクトルを決定するよう構成されたノイズ推定装置であって、オーディオ出力信号のノイズの第１スペクトルは無音挿入記述子復号器によって提供された背景ノイズのスペクトルよりも高いスペクトル分解能を持つ、ノイズ推定装置；
オーディオ出力信号のノイズの第１スペクトルに基づいて、オーディオ出力信号のノイズの第２スペクトルを確定するよう構成された分解能変換器であって、オーディオ出力信号のノイズの第２スペクトルは無音挿入記述子復号器によって提供された背景ノイズのスペクトルと同じスペクトル分解能を持つ、分解能変換器；
無音挿入記述子復号器によって提供された背景ノイズのスペクトルと、分解能変換器によって提供されたオーディオ出力信号のノイズの第２スペクトルとに基づいて、コンフォートノイズのスペクトルのスケーリングファクタを計算するよう構成されたスケーリングファクタ演算装置と、前記スケーリングファクタに基づいてコンフォートノイズのスペクトルを計算するよう構成されたコンフォートノイズ・スペクトル生成器と、を含むコンフォートノイズ・スペクトル推定装置；
コンフォートノイズのスペクトルに基づいて不活性期間中にコンフォートノイズを生成するよう構成されたコンフォートノイズ発生器。
【０００６】
ビットストリームは活性期と不活性期とを含み、活性期はスピーチや音楽などのオーディオ情報の所望の成分を含む期間であり、一方、不活性期はオーディオ情報の如何なる所望の成分を含まない期間である。不活性期は通常は休止中に発生し、そこでは音楽やスピーチなどの所望の成分は存在しない。したがって、不活性期は通常は背景ノイズだけを含む。符号化されたオーディオ信号を含むビットストリーム内の情報は、所謂フレーム内に埋め込まれ、これらフレームの各々は、ある時間を参照するオーディオ情報を含む。活性期間中、所望の信号に関するオーディオ情報を含む活性フレームは、ビットストリーム内で伝送されてもよい。これとは対照的に、不活性期間中、ノイズ情報を含む無音挿入記述子フレームは、活性期の平均ビットレートに比べて低い平均ビットレートでビットストリーム内で伝送されてもよい。
【０００７】
無音挿入記述子復号器は、無音挿入記述子フレームを復号化して、背景ノイズのスペクトルを再構成するよう構成されている。しかしながら、背景ノイズのこのスペクトルでは、無音挿入記述子フレーム内で伝送されるパラメータの個数が制限されているため、背景ノイズの微細なスペクトル構造を捕捉することができない。
【０００８】
本復号化装置は、オーディオ情報を含むデジタルデータストリームである、オーディオビットストリームを活性期間中に復号化できる装置またはコンピュータプログラムであってもよい。この復号化プロセスは、デジタル復号化済みオーディオ出力信号をもたらしてもよく、この信号はＤ／Ａ変換器へ供給されてアナログオーディオ信号を生成してもよく、次に可聴信号を生成するためにラウドスピーカに供給されてもよい。
【０００９】
スペクトル変換器は、無音挿入記述子復号器によって提供される背景ノイズのスペクトルよりも有意に高いスペクトル分解能を持つオーディオ出力信号のスペクトルを取得してもよい。
【００１０】
したがって、ノイズ推定器は、スペクトル変換器によって提供されたオーディオ出力信号のスペクトルに基づいて、オーディオ出力信号のノイズの第１スペクトルを決定してもよく、ここでオーディオ出力信号のノイズの第１スペクトルは無音挿入記述子復号器によって提供される背景ノイズのスペクトルよりも高いスペクトル分解能を持つ。
【００１１】
さらに、分解能変換器は、オーディオ出力信号のノイズの第１スペクトルに基づいて、オーディオ出力信号のノイズの第２スペクトルを確定してもよく、ここでオーディオ出力信号のノイズの第２スペクトルは無音挿入記述子復号器によって提供される背景ノイズのスペクトルと同じスペクトル分解能を持つ。
【００１２】
無音挿入記述子復号器によって提供される背景ノイズのスペクトルと、分解能変換器によって提供されるオーディオ出力信号のノイズの第２スペクトルとが同じスペクトル分解能を有するので、スケーリングファクタ演算装置は、無音挿入記述子復号器によって提供される背景ノイズのスペクトルと、分解能変換器によって提供されるオーディオ出力信号のノイズの第２スペクトルとに基づいて、コンフォートノイズのスペクトルのスケーリングファクタを容易に計算することができる。
【００１３】
コンフォートノイズ・スペクトル生成器は、前記スケーリングファクタと、前記ノイズ推定装置によって提供されたオーディオ出力信号のノイズの第１スペクトルとに基づいて、コンフォートノイズのスペクトルを確定してもよい。
【００１４】
さらに、コンフォートノイズ発生器は、前記コンフォートノイズのスペクトルに基づいて、不活性期間中に前記コンフォートノイズを生成してもよい。
【００１５】
復号器で取得されたノイズ推定は、背景ノイズのスペクトル構造についての情報を含み、この情報はＳＩＤフレームに含まれた背景ノイズの平滑なスペクトル包絡についての情報に比べて高精度である。しかしながら、ノイズ推定は活性期間中に復号化されたオーディオ出力信号について実行されるので、これら推定は、不活性期間中、更新され得ない。これとは対照的に、ＳＩＤフレームは、不活性期間中、スペクトル包絡に関する新たな情報を供給する。本発明にかかる復号器は、情報のこれら２つの資源を結合する。スケーリングファクタは、復号器側でのノイズ推定に依存して活性期間中に更新されてもよく、ＳＩＤフレームに含まれたノイズ推定に依存して不活性期間中に更新されてもよい。スケーリングファクタの連続的な更新は、生成されたコンフォートノイズ特性の突発的な変化が生じないことを確実にする。
【００１６】
ＳＩＤフレーム内に含まれた背景ノイズのスペクトルとオーディオ出力信号のノイズの第２スペクトルとが同じスペクトル分解能を有するので、スケーリングファクタの更新、及びコンフォートノイズの更新は、容易な方法で達成できる。なぜなら、ＳＩＤフレームに含まれた背景ノイズのスペクトルの各周波数帯域グループについて、正に１つの周波数帯域グループだけがオーディオ出力信号のノイズの第２スペクトルに存在しているからである。好ましい実施形態では、ＳＩＤフレームに含まれた背景ノイズのスペクトルの周波数帯域グループと、オーディオ出力信号のノイズの第２スペクトルの周波数帯域グループとは互いに対応している。
【００１７】
さらに、ＳＩＤフレームに含まれた背景ノイズのスペクトルとオーディオ出力信号のノイズの第２スペクトルとは同じ周波数分解能を有するので、スケーリングファクタの更新は可聴アーチファクトを全く生じないか、又はごく僅かしか生じない。
【００１８】
本発明の好ましい実施形態によれば、スペクトル分析器は高速フーリエ変換装置を含む。高速フーリエ変換（ＦＦＴ）は離散フーリエ変換（ＤＦＴ）とその逆とを計算するアルゴリズムであり、非常に低い演算労力しか必要としない。したがって、高速フーリエ変換装置は、オーディオ出力信号のスペクトルを容易な方法で計算できる。
【００１９】
本発明の好ましい実施形態によれば、復号器におけるノイズ推定装置は、オーディオ出力信号のスペクトルを一般にかなり低いスペクトル分解能を有するオーディオ出力信号の変換済みスペクトルへと変換するよう構成された変換装置を含む。オーディオ出力信号の変換済みスペクトルを提供することによって、後続の演算ステップの複雑さを低減できる。
【００２０】
本発明の好ましい実施形態によれば、ノイズ推定装置は、前記変換装置によって提供されたオーディオ出力信号の変換済みスペクトルに基づいて、オーディオ出力信号のノイズの第１スペクトルを決定するよう構成されたノイズ推定器を含む。オーディオ出力信号の変換済みスペクトルが復号器でのノイズ推定の基礎として用いられた場合には、ノイズ推定の品質を低下させずに演算労力を削減できる。
【００２１】
本発明の好ましい実施形態によれば、スケーリングファクタ演算装置は次式に従ってスケーリングファクタを計算するよう構成されており、
2016500452.tif 000003
ここで、
2016500452.tif 000004
はコンフォートノイズの周波数帯域グループｉについてのスケーリングファクタを示し、
2016500452.tif 000005
はＳＩＤフレームに含まれた背景ノイズのスペクトルの周波数帯域グループｉのレベルを示し、
2016500452.tif 000006
はオーディオ出力信号のノイズの第２スペクトルの周波数帯域グループｉのレベルを示し、ｉ＝０，．．．，ＬLR−１であり、ＬLRはＳＩＤフレームに含まれた背景ノイズのスペクトルの周波数帯域グループ及びオーディオ出力信号のノイズの第２スペクトルの周波数帯域グループの数である。これら特徴によって、スケーリングファクタは容易な方法で計算され得る。
【００２２】
本発明の好ましい実施形態によれば、コンフォートノイズ・スペクトル生成器は、前記スケーリングファクタと、ノイズ推定装置によって提供されたオーディオ出力信号のノイズの第１スペクトルとに基づいて、コンフォートノイズのスペクトルを計算するよう構成されている。これら特徴によって、コンフォートノイズ・スペクトルは、オーディオ出力信号のノイズの第１スペクトルのスペクトル分解能を持つように計算されてもよく、そのスペクトル分解能はＳＩＤフレームから取得されたスペクトル分解能より一般にずっと高い。
【００２３】
本発明の好ましい実施形態によれば、コンフォートノイズ・スペクトル生成器は、次式に従ってコンフォートノイズのスペクトルを計算するよう構成されており、
2016500452.tif 000007
ここで、
2016500452.tif 000008
はコンフォートノイズのスペクトルの周波数帯域ｋのレベルを示し、
2016500452.tif 000009
はＳＩＤフレームに含まれた背景ノイズのスペクトルとオーディオ出力信号のノイズの第２スペクトルとの周波数帯域グループｉのスケーリングファクタを示し、
2016500452.tif 000010
はオーディオ出力信号のノイズの第１スペクトルの周波数帯域ｋのレベルを示し、ｋ＝ｂLR（ｉ），．．．，ｂLR（ｉ＋１）−１であり、ｂLR（ｉ）は前記周波数帯域グループの１つの第１周波数帯域であり、ｉ＝０，．．．，ＬLR−１であり、ＬLRはＳＩＤフレームに含まれた背景ノイズのスペクトルの周波数帯域グループ及びオーディオ出力信号のノイズの第２スペクトルの周波数帯域グループの数である。これら特徴によって、コンフォートノイズのスペクトルは高い分解能で容易に計算され得る。
【００２４】
本発明の好ましい実施形態によれば、分解能変換器は、前記オーディオ出力信号のノイズの第１スペクトルに基づいて前記オーディオ出力信号のノイズの第３スペクトルを確定するよう構成された第１変換器ステージを含み、オーディオ出力信号のノイズの第３スペクトルのスペクトル分解能はオーディオ出力信号のノイズの第１スペクトルのスペクトル分解能より高いか又は同じであり、前記分解能変換器はオーディオ出力信号のノイズの第２スペクトルを確定するよう構成された第２変換器ステージを含む。
【００２５】
本発明の好ましい実施形態によれば、コンフォートノイズ・スペクトル生成器は、前記スケーリングファクタと前記分解能変換器の第１変換器ステージによって提供されたオーディオ出力信号のノイズの第３スペクトルとに基づいて、コンフォートノイズのスペクトルを計算するよう構成されている。これら特徴により、活性期間中のオーディオ出力信号のノイズの第１スペクトルよりも高いスペクトル分解能を持つコンフォートノイズ・スペクトルが不活性期間中に取得されてもよい。
【００２６】
本発明の好ましい実施形態によれば、コンフォートノイズ・スペクトル生成器は、次式に従ってコンフォートノイズのスペクトルを計算するよう構成され、
2016500452.tif 000011
ここで、
2016500452.tif 000012
はコンフォートノイズのスペクトルの周波数帯域ｋのレベルを示し、
2016500452.tif 000013
はＳＩＤフレームに含まれた背景ノイズのスペクトルとオーディオ出力信号のノイズの第２スペクトルとの周波数帯域グループｉのスケーリングファクタを示し、
2016500452.tif 000014
はオーディオ出力信号のノイズの第３スペクトルの周波数帯域ｋのレベルを示し、ｋ＝ｂLR（ｉ），．．．，ｂLR（ｉ＋１）−１であり、ｂLR（ｉ）は周波数帯域グループの第１周波数帯域であり、ｉ＝０，．．．，ＬLR−１であり、ＬLRはＳＩＤフレームに含まれた背景ノイズのスペクトルとオーディオ出力信号のノイズの第２スペクトルとの周波数帯域グループの数である。これら特徴によって、コンフォートノイズのスペクトルは高い分解能で容易に計算され得る。
【００２７】
本発明の好ましい実施形態によれば、コンフォートノイズ発生器は、高速フーリエ変換ドメインにおいてコンフォートノイズの周波数帯域のレベルを調整する第１高速フーリエ変換器と、第１高速フーリエ変換器の出力に基づいてコンフォートノイズの少なくとも一部を生成する第２高速フーリエ変換器とを備える。これら特徴により、背景ノイズは容易な方法で生成され得る。
【００２８】
本発明の好ましい実施形態によれば、復号化装置は活性期間中にオーディオ出力信号を生成するよう構成されたコア復号器を備える。これら特徴により、狭帯域（ＮＢ）及び広帯域（ＷＢ）のアプリケーションに好適な簡素な構造の復号器を実現できる。
【００２９】
本発明の好ましい実施形態によれば、復号化装置は、オーディオ信号を生成するよう構成されたコア復号器と、コア復号器によって生成されたオーディオ信号に基づいてオーディオ出力信号を生成するよう構成された帯域幅拡張モジュールとを備える。これら特徴により、超広帯域（ＳＷＢ）アプリケーションに好適な簡素な構造の復号器を実現できる。
【００３０】
本発明の好ましい実施形態によれば、前記帯域幅拡張モジュールは、スペクトル帯域複製復号器、直交ミラーフィルタ分析器、及び／又は直交ミラーフィルタ合成器を備える。
【００３１】
本発明の好ましい実施形態によれば、前記高速フーリエ変換器によって生成されたコンフォートノイズは前記帯域幅拡張モジュールへと供給される。この特徴により、高速フーリエ変換器によって生成されたコンフォートノイズはより高い帯域幅を持つコンフォートノイズへと変換されてもよい。
【００３２】
本発明の好ましい実施形態によれば、コンフォートノイズ発生器は、直交ミラーフィルタドメインにおいてコンフォートノイズの周波数帯域のレベルを調整する直交ミラーフィルタ調整装置を備え、前記直交ミラーフィルタ合成器の出力は帯域幅拡張モジュールへと供給される。これら特徴により、無音挿入記述子フレームによって伝送され、コア復号器の帯域幅を超えるノイズ周波数に関連したノイズ情報がコンフォートノイズのさらなる改善のために用いられても良い。
【００３３】
さらなる特徴において、本発明は復号器と符号器とを含むシステムに関係し、復号器は本発明に従って設計されたものである。
【００３４】
他の態様において、本発明はオーディオビットストリームを復号化して、そこからオーディオ出力信号を生成する方法に関係しており、そのビットストリームは少なくとも１つの不活性期へと続く少なくとも１つの活性期を含み、そのビットストリームは、その中に背景ノイズのスペクトルを記述する少なくとも１つの符号化された無音挿入記述子フレームを有しており、前記方法は、以下のステップを含む。
無音挿入記述子フレームを復号化して、背景ノイズのスペクトルを再構成するステップ；
活性期間中にビットストリームからオーディオ出力信号を再構成するステップ；
オーディオ出力信号のスペクトルを決定するステップ；
前記オーディオ出力信号のスペクトルに基づいて、オーディオ出力信号のノイズの第１スペクトルを決定するステップであって、オーディオ出力信号のノイズの第１スペクトルは無音挿入記述子復号器によって提供された背景ノイズのスペクトルよりも高いスペクトル分解能を持つ、ステップ；
オーディオ出力信号のノイズの第１スペクトルに基づいて、オーディオ出力信号のノイズの第２スペクトルを確定するステップであって、オーディオ出力信号のノイズの第２スペクトルは無音挿入記述子復号器によって提供された背景ノイズのスペクトルと同じスペクトル分解能を持つ、ステップ；
無音挿入記述子復号器によって提供された背景ノイズのスペクトルと、オーディオ出力信号のノイズの第２スペクトルとに基づいて、コンフォートノイズのスペクトルのスケーリングファクタを計算するステップ；
コンフォートノイズのスペクトルに基づいて不活性期間中にコンフォートノイズを生成するステップ。
【００３５】
さらなる態様において、本発明はコンピュータ又はプロセッサ上で実行されたとき、前記方法を実行するためのコンピュータプログラムに関係している。
【００３６】
本発明の好ましい実施形態を、添付の図面を参照しながら以下に説明する。
【図面の簡単な説明】
【００３７】
【図１】本発明に係る復号器の第１実施例を示す。
【図２】本発明に係る復号器の第２実施例を示す。
【図３】本発明に係る復号器の第３実施例を示す。
【図４】本発明のシステムに好適な符号器の第１実施例を示す。
【図５】本発明のシステムに好適な符号器の第２実施例を示す。
【発明を実施するための形態】
【００３８】
図１は、本発明に係る復号器１の第１実施例を示す。図１のオーディオ復号器１は、ビットストリームＢＳを復号化して、そこからオーディオ出力信号ＯＳを生成するよう構成されたものであり、ビットストリームＢＳは少なくとも１つの不活性期へと続く少なくとも１つの活性期を含み、そのビットストリームＢＳは、その中に背景ノイズのスペクトルＳＢＮを記述する少なくとも１つの符号化された無音挿入記述子フレームＳＩを有しており、オーディオ復号器１は、以下の構成を含む。
活性期間中にビットストリームＢＳからオーディオ出力信号ＯＳを再構成するよう構成された復号化装置２；
無音挿入記述子フレームＳＩを復号化して、背景ノイズのスペクトルＳＢＮを再構成するよう構成された無音挿入記述子復号器３；
オーディオ出力信号ＯＳのスペクトルＳＡＳを決定するよう構成されたスペクトル変換器４；
スペクトル変換器４によって提供されたオーディオ出力信号ＯＳのスペクトルＳＡＳに基づいて、オーディオ出力信号ＯＳのノイズの第１スペクトルＳＮ１を決定するよう構成されたノイズ推定装置５であって、オーディオ出力信号ＯＳのノイズの第１スペクトルＳＮ１は背景ノイズのスペクトルＳＢＮよりも高いスペクトル分解能を持つ、ノイズ推定装置５；
オーディオ出力信号ＯＳのノイズの第１スペクトルＳＮ１に基づいて、オーディオ出力信号ＯＳのノイズの第２スペクトルＳＮ２を確定するよう構成された分解能変換器６であって、オーディオ出力信号ＯＳのノイズの第２スペクトルＳＮ２は背景ノイズのスペクトルＳＢＮと同じスペクトル分解能を持つ、分解能変換器６；
無音挿入記述子復号器３によって提供された背景ノイズのスペクトルＳＢＮと、分解能変換器６によって提供されたオーディオ出力信号ＯＳのノイズの第２スペクトルＳＮ２とに基づいて、コンフォートノイズＣＮのスペクトルＳＣＮのスケーリングファクタＳＦを計算するよう構成されたスケーリングファクタ演算装置７ａと、前記スケーリングファクタＳＦに基づいてコンフォートノイズＣＮのスペクトルＳＣＮを計算するよう構成されたコンフォートノイズ・スペクトル生成器７ｂと、を含むコンフォートノイズ・スペクトル推定装置７；及び
コンフォートノイズＣＮのスペクトルＳＣＮに基づいて不活性期間中にコンフォートノイズＣＮを生成するよう構成されたコンフォートノイズ発生器８。
【００３９】
ビットストリームＢＳは活性期と不活性期とを含み、活性期とはスピーチ又は音楽などのオーディオ情報の所望の成分を含む期間のことであり、一方不活性期とはオーディオ情報の如何なる所望の成分をも含まない期間のことである。不活性期は通常、休止期間中に発生し、そこでは音楽やスピーチ等の所望の成分が存在しない。したがって、不活性期は通常、背景ノイズだけを含む。符号化済みオーディオ信号を含むビットストリームＢＳ内の情報は、所謂フレームに埋め込まれ、これらフレームの夫々はある時間に関するオーディオ情報を含む。活性期間中、所望の信号に関するオーディオ情報を含む活性フレームは、ビットストリームＢＳ内で伝送されてもよい。これとは対照的に、不活性期間中、ノイズ情報を含む無音挿入記述子フレームは、活性期の平均ビットレートに比べて低い平均ビットレートでビットストリーム内で伝送されてもよい。
【００４０】
復号化装置２は、オーディオビットストリームＢＳを復号化できる装置又はコンピュータプログラムであってもよく、このビットストリームは活性期間中のオーディオ情報を含むデジタルデータストリームである。復号化プロセスはデジタル復号化済みオーディオ出力信号ＯＳをもたらし、その出力信号はアナログオーディオ信号を生成するためにＤ／Ａ変換器へ供給され、次にこのアナログオーディオ信号は可聴信号を生成するためにラウドスピーカへ供給されてもよい。
【００４１】
無音挿入記述子復号器３は、背景ノイズのスペクトルＳＢＮを再構成するために無音挿入記述子フレームＳＩを復号するよう構成されている。しかしながら、背景ノイズのこのスペクトルＳＢＮでは、無音挿入記述子フレームＳＩ内で伝送されるパラメータの限定された個数に起因して、背景ノイズの微細なスペクトル構造を捕捉することができない。
【００４２】
スペクトル変換器４は、無音挿入記述子復号器３によって提供される背景ノイズのスペクトルＳＢＮに比べて有意に高いスペクトル分解能を有するオーディオ出力信号ＯＳのスペクトルＳＡＳを取得してもよい。
【００４３】
従って、ノイズ推定器１０は、スペクトル変換器４によって提供されたオーディオ出力信号ＯＳのスペクトルＳＡＳに基づいてオーディオ出力信号ＯＳのノイズの第１スペクトルＳＮ１を決定してもよく、オーディオ出力信号ＯＳのノイズの第１スペクトルＳＮ１は背景ノイズＳＢＮのスペクトルよりも高いスペクトル分解能を有する。
【００４４】
さらに、分解能変換器６は、オーディオ出力信号ＯＳのノイズの第１スペクトルＳＮ１に基づいて、オーディオ出力信号ＯＳのノイズの第２スペクトルＳＮ２を確定してもよく、オーディオ出力信号ＯＳのノイズの第２スペクトルＳＮ２は背景ノイズのスペクトルＳＢＮと同じスペクトル分解能を有する。
【００４５】
背景ノイズのスペクトルＳＢＮとオーディオ出力信号ＯＳのノイズの第２スペクトルＳＮ２とは同じスペクトル分解能を有するので、スケーリングファクタ演算装置７ａは、無音挿入記述子復号器３によって提供された背景ノイズのスペクトルＳＢＮと、分解能変換器６によって提供されたオーディオ出力信号ＯＳのノイズの第２スペクトルＳＮ２とに基づいて、コンフォートノイズＣＮのスペクトルＳＣＮのスケーリングファクタＳＦを容易に計算することができる。
【００４６】
コンフォートノイズ・スペクトル生成器７ｂは、スケーリングファクタＳＦに基づいてコンフォートノイズＣＮについてのスペクトルＳＣＮを確定してもよい。
【００４７】
さらに、コンフォートノイズ発生器８は、コンフォートノイズについてのスペクトルＳＣＮに基づいて不活性期間中にコンフォートノイズＣＮを生成してもよい。
【００４８】
復号器１で取得されたノイズ推定は、背景ノイズのスペクトル構造に関する情報を含み、ＳＩＤフレームＳＩ内に含まれた背景ノイズのスペクトル構造に関する情報に比べてより高精度である。しかしながら、ノイズ推定は復号化済みオーディオ信号ＯＳに対して実行されるので、これら推定は不活性期間中は適用され得ない。対照的に、ＳＩＤフレームは不活性期の間、一定間隔でスペクトル包絡についての新たな情報を供給する。本発明にかかる復号器１は、これら２つの情報源を結合する。スケーリングファクタＳＦは、活性期間中に復号器側でのノイズ推定に依存して更新されてもよく、不活性期間中にＳＩＤフレームＳＩ内に含まれたノイズ推定に依存して更新されてもよい。スケーリングファクタＳＦの連続的な更新により、生成されたコンフォートノイズＣＮの特性の突然の変化が起こらないように保証できる。
【００４９】
ＳＩＤフレームＳＩに含まれた背景ノイズのスペクトルＳＢＮとオーディオ出力信号ＯＳのノイズの第２スペクトルＳＮ２とは同じスペクトル分解能を有するので、スケーリングファクタＳＦの更新、つまりはコンフォートノイズＣＮの更新は容易な方法で実行され得る。なぜなら、ＳＩＤフレームＳＩに含まれた背景ノイズのスペクトルＳＢＮの各周波数帯グループについて、オーディオ出力信号ＯＳのノイズの第２スペクトルＳＮ２内に必ず１つの周波数帯グループが存在するからである。好ましい実施形態においては、ＳＩＤフレームＳＩに含まれた背景ノイズのスペクトルの周波数帯グループと、オーディオ出力信号ＯＳのノイズの第２スペクトルＳＮ２の周波数帯グループとは、互いに対応している点に注目すべきである。
【００５０】
さらに、ＳＩＤフレームＳＩに含まれた背景ノイズのスペクトルＳＢＮとオーディオ出力信号ＯＳのノイズの第２スペクトルＳＮ２とは同じスペクトル分解能を有するので、スケーリングファクタＳＦの更新は全く又はごく僅かしか可聴アーチファクトを生成しない。
【００５１】
本発明の望ましい実施形態によれば、スペクトル分析器４は、高速フーリエ変換装置を含む。高速フーリエ変換（ＦＦＴ）は離散フーリエ変換（ＤＦＴ）とその逆とを計算するアルゴリズムであり、非常に低い演算労力しか必要としない。したがって、高速フーリエ変換装置は、オーディオ出力信号ＯＳのスペクトルＳＡＳを容易な方法で計算できる。
【００５２】
本発明の望ましい実施形態によれば、ノイズ推定装置５はオーディオ出力信号ＯＳのスペクトルＳＡＳをオーディオ出力信号ＯＳの変換済みスペクトルＣＳＡに変換するよう構成された変換装置９を含み、この変換済みスペクトルＣＳＡはコア復号器１７と同じスペクトル分解能を有する。一般的には、スペクトル変換器４によって取得されたオーディオ出力信号ＯＳのスペクトルＳＡＳのスペクトル分解能は、コア復号器１７のスペクトル分解能よりもずっと高い。オーディオ出力信号ＯＳの変換済みスペクトルＣＳＡを提供することによって、後続の演算ステップの複雑性を低減できる。
【００５３】
本発明の望ましい実施形態によれば、ノイズ推定装置５は変換装置９によって提供されたオーディオ出力信号ＯＳの変換済みスペクトルＣＳＡに基づき、オーディオ出力信号ＯＳのノイズの第１スペクトルＳＮ１を決定するよう構成されたノイズ推定器１０を含む。ノイズ推定の基礎として復号器においてオーディオ出力信号ＯＳの変換済みスペクトルＣＳＡが使用された場合、ノイズ推定の品質を低下させずに演算労力が低減され得る。
【００５４】
本発明の好ましい実施形態によれば、スケーリングファクタ演算装置７ａは次式に従ってスケーリングファクタＳＦを計算するよう構成されており、
2016500452.tif 000015
ここで、
2016500452.tif 000016
はコンフォートノイズＣＮの周波数帯域グループｉについてのスケーリングファクタＳＦを示し、
2016500452.tif 000017
は背景ノイズのスペクトルＳＢＮの周波数帯域グループｉのレベルを示し、
2016500452.tif 000018
はオーディオ出力信号のノイズの第２スペクトルＳＮ２の周波数帯域グループｉのレベルを示し、ｉ＝０，．．．，ＬLR−１であり、ＬLRは背景ノイズのスペクトルＳＢＮ及びオーディオ出力信号ＯＳのノイズの第２スペクトルＳＮ２の周波数帯域グループの数である。これら特徴によって、スケーリングファクタＳＦは容易な方法で計算され得る。
【００５５】
本発明の好ましい実施形態によれば、コンフォートノイズ・スペクトル生成器７ｂは、前記スケーリングファクタＳＦとノイズ推定装置５によって提供されたオーディオ出力信号ＯＳのノイズの第１スペクトルＳＮ１とに基づいて、コンフォートノイズＣＮのスペクトルＳＣＮを計算するよう構成されている。これら特徴により、コンフォートノイズ・スペクトルＳＣＮは、オーディオ出力信号ＯＳのノイズの第１スペクトルＳＮ１と同じスペクトル分解能を持つように計算され得る。
【００５６】
本発明の好ましい実施形態によれば、コンフォートノイズ・スペクトル生成器７ｂは、次式に従ってコンフォートノイズＣＮのスペクトルＳＣＮを計算するよう構成されており、
2016500452.tif 000019
ここで、
2016500452.tif 000020
はコンフォートノイズＣＮのスペクトルＳＣＮの周波数帯域ｋのレベルを示し、
2016500452.tif 000021
は背景ノイズのスペクトルＳＢＮとオーディオ出力信号ＯＳのノイズの第２スペクトルＳＮ２との周波数帯域グループｉのスケーリングファクタＳＦを示し、
2016500452.tif 000022
はオーディオ出力信号ＯＳのノイズの第１スペクトルＳＮ１の周波数帯域ｋのレベルを示し、ｋ＝ｂLR（ｉ），．．．，ｂLR（ｉ＋１）−１であり、ｂLR（ｉ）は前記周波数帯域グループの１つの第１周波数帯域であり、ｉ＝０，．．．，ＬLR−１であり、ＬLRは背景ノイズのスペクトルＳＢＮとオーディオ出力信号のノイズの第２スペクトルＳＮ２との周波数帯域グループの数である。これら特徴によって、コンフォートノイズＣＮのスペクトルＳＣＮは高い分解能で容易に計算され得る。
【００５７】
本発明の好ましい実施形態によれば、分解能変換器６は、オーディオ出力信号ＯＳのノイズの第１スペクトルＳＮ１に基づいてオーディオ出力信号ＯＳのノイズの第３スペクトルＳＮ３を確定するよう構成された第１変換器ステージ１１を含み、オーディオ出力信号ＯＳのノイズの第３スペクトルＳＮ３のスペクトル分解能は、オーディオ出力信号ＯＳのノイズの第１スペクトルＳＮ１のスペクトル分解能と同等又はそれより高く、分解能変換器６はオーディオ出力信号ＯＳのノイズの第２スペクトルＳＮ２を確定するよう構成された第２変換器ステージ１２を含む。
【００５８】
本発明の好ましい実施形態によれば、コンフォートノイズ・スペクトル生成器７ｂは、スケーリングファクタＳＦと分解能変換器６の第１変換器ステージ１１によって提供されたオーディオ出力信号ＯＳのノイズの第３スペクトルＳＮ３とに基づいて、コンフォートノイズＣＮのスペクトルＳＣＮを計算するよう構成されている。これら特徴により、無音挿入記述子復号器３によって提供された背景ノイズスペクトルＳＢＮよりも高いスペクトル分解能を持つ、コンフォートノイズ・スペクトルＳＣＮが取得され得る。
【００５９】
本発明の好ましい実施形態によれば、コンフォートノイズ・スペクトル生成器７ｂは、次式に従ってコンフォートノイズのスペクトルＳＣＮを計算するよう構成され、
2016500452.tif 000023
ここで、
2016500452.tif 000024
はコンフォートノイズＣＮのスペクトルＳＣＮの周波数帯域ｋのレベルを示し、
2016500452.tif 000025
は背景ノイズのスペクトルＳＣＮとオーディオ出力信号ＯＳのノイズの第２スペクトルＳＮ２との周波数帯域グループｉのスケーリングファクタＳＦを示し、
2016500452.tif 000026
はオーディオ出力信号ＯＳのノイズの第３スペクトルＳＮ３の周波数帯域ｋのレベルを示し、ｋ＝ｂLR（ｉ），．．．，ｂLR（ｉ＋１）−１であり、ｂLR（ｉ）は周波数帯域グループの第１周波数帯域であり、ｉ＝０，．．．，ＬLR−１であり、ＬLRは背景ノイズのスペクトルＳＢＮとオーディオ出力信号ＯＳのノイズの第２スペクトルＳＮ２との周波数帯域グループの数である。これら特徴によって、コンフォートノイズのスペクトルＳＣＮは高い分解能で容易に計算され得る。
【００６０】
本発明の好ましい実施形態によれば、コンフォートノイズ発生器８は、高速フーリエ変換ドメインにおいてコンフォートノイズＣＮの周波数帯域のレベルを調整するよう構成された第１高速フーリエ変換器１５と、第１高速フーリエ変換器１５の出力に基づいてコンフォートノイズＣＮの少なくとも一部を生成する第２高速フーリエ変換器１６とを備える。これら特徴により、背景ノイズは容易な方法で生成され得る。
【００６１】
本発明の好ましい実施形態によれば、復号化装置２は活性期間中にオーディオ出力信号ＯＳを生成するよう構成されたコア復号器１７を備える。これら特徴により、狭帯域（ＮＢ）及び広帯域（ＷＢ）のアプリケーションに好適な簡素な構造の復号器を実現できる。
【００６２】
本発明の好ましい実施形態によれば、オーディオ復号器１は、活性期と不活性期とを区別するよう構成されたヘッダ読み取り装置１８を備える。ヘッダ読み取り装置１８はさらに、活性期間中ビットストリームＢＳをコア復号器１７へ供給し、かつ不活性期間中、無音挿入記述子フレームを無音挿入記述子復号器３へと供給するように、スイッチ装置１９を切り替えるよう構成されている。追加的に、コンフォートノイズＣＮの生成をトリガーできるように、不活性期フラグが背景ノイズ生成器８へと伝送される。
【００６３】
図２は、本発明にかかるオーディオ復号器１の第２実施形態を示す。図２に示す復号器１は、図１の復号器１に基づいている。以下では。相違点についてのみ説明する。本発明の第２実施形態のオーディオ復号器１は、コア復号器１７の出力信号が供給される帯域幅拡張モジュール２０を備えている。帯域幅拡張モジュール２０は、オーディオ出力信号ＯＳに基づいて帯域幅拡張された出力信号ＥＯＳを生成するよう構成されている。これら特徴により、超広帯域（ＳＷＢ）アプリケーションに好適な簡素な構造の復号器１を達成できる。
【００６４】
本発明の好ましい実施形態によれば、高速フーリエ変換器１６によって出力されたコンフォートノイズＣＮは帯域幅拡張モジュール２０へと供給される。この特徴により、高速フーリエ変換器によって出力されたコンフォートノイズＣＮはより高い帯域幅を持つコンフォートノイズＣＮへと変換され得る。
【００６５】
本発明の好ましい実施形態によれば、コンフォートノイズ発生器８は、直交ミラーフィルタドメインにおいてコンフォートノイズＣＮの周波数帯域のレベルを調整するよう構成された直交ミラーフィルタ調整器２４を備えており、直交ミラーフィルタ合成器２４の出力は追加的なコンフォートノイズＣＮ'として帯域幅拡張モジュール２０へと供給される。無音挿入記述子フレームＳＩ内に含まれたＱＭＦレベルは、直交ミラーフィルタ合成器２４へと供給されてもよい。これら特徴により、無音挿入記述子フレームＳＩによって伝送され、かつコア復号器１７の帯域幅を超えるノイズ周波数に関連したノイズ情報は、コンフォートノイズＣＮのさらなる改善のために用いられても良い。
【００６６】
本発明の好ましい実施形態によれば、帯域幅拡張モジュール２０は、スペクトル帯域複製復号器２１と、直交ミラーフィルタ分析器２２、及び／又は直交ミラーフィルタ合成器２３とを備える。
【００６７】
図３は本発明にかかる復号器１の第３実施形態を示す。図３の復号器１は図２の復号器１に基づいている。以下では。相違点についてのみ説明する。
【００６８】
本発明の好ましい実施形態によれば、復号化装置２は、オーディオ信号ＡＳを生成するコア復号器１７と、コア復号器１７によって提供されたオーディオ信号ＡＳに基づいてオーディオ出力信号ＯＳを生成する帯域幅拡張モジュール２０とを備えている。これら特徴により、超広帯域（ＳＷＢ）アプリケーションに好適な簡素な構造の復号器を達成できる。
【００６９】
原則として、図３の帯域幅拡張モジュール２０は図２の帯域幅拡張モジュール２０と同じである。しかしながら、本発明に係るオーディオ復号器１の第３実施形態においては、帯域幅拡張モジュール２０はオーディオ出力信号ＯＳを生成するために使用され、このオーディオ出力信号ＯＳはスペクトル変換器４へ供給される。これら特徴により、全帯域幅がコンフォートノイズを生成するために使用され得る。
【００７０】
本発明に係るオーディオ復号器の前記３つの実施形態に関して、次の点が追加されてもよい。すなわち、復号器側では、ＳＷＢモードについてのＱＭＦドメインだけでなくＦＦＴドメインにおいても個別のスペクトル帯域をそれぞれ励起するためにランダム発生器８が適用されてもよい。このランダムシーケンスの振幅は、生成されたコンフォートノイズＣＮのスペクトルがビットストリーム内に存在する実際の背景ノイズのスペクトルに似ているように、各帯域で個別に計算されるべきである。
【００７１】
復号器１で取得された高分解能のノイズ推定値は、背景ノイズの微細なスペクトル構造についての情報を捕捉する。しかしながら、ノイズ推定は復号化済み信号ＯＳに対して実行されるので、これら推定値は不活性期間中には適応され得ない。対照的に、ＳＩＤフレームＳＩは不活性期間中、一定間隔でスペクトル包絡についての新たな情報を供給する。本発明にかかる復号器１は、活性期間中に存在する背景ノイズから捕捉された微細なスペクトル構造を再構成しようとし、他方では、不活性部分の間はＳＩＤ情報の助けをかりてコンフォートノイズＣＮのスペクトル包絡だけを更新しようとする目的で、これら２つの情報源を結合する。
【００７２】
この目的を達成するため、図１〜図３に示すように、追加的なノイズ推定器５が復号器１内で使用される。それ故、ノイズ推定は伝送システムの両側で実行されるが、復号器１側でのスペクトル分解能は符号器１００側より高い。復号器１で高いスペクトル分解能を取得する一方法は、符号器１００においてと同様に平均化によってそれらスペクトルをグループ化する方法に代えて、各スペクトル帯域を個別に単純に考慮すること（フル分解能）である。代替的に、スペクトル分解能と演算複雑性との妥協点は、復号器１でもスペクトルグループ化を実行し、かつ符号器１００に比べてスペクトルグループの数を増加させることで、取得し得る。それにより、復号器において周波数軸のより微細な量子化を達成できる。
【００７３】
復号器側のノイズ推定は、復号化済み信号ＯＳに対して実行される点に注意すべきである。ＤＴＸベースのシステムでは、ノイズ推定は活性期間中のみ、つまり必然的にクリーンなスピーチ又はノイジーなスピーチのコンテンツ（ノイズだけとは対照的に）に対して実行されることになる。
【００７４】
復号器で計算された高分解能（ＨＲ）のノイズパワースペクトル
2016500452.tif 000027
は、フル分解能（ＦＲ）のパワースペクトル
2016500452.tif 000028
を提供するために（例えば線形補間を使用して）第１補間されてもよい。次に、フル分解能（ＦＲ）パワースペクトルは、符号器で実行されたようにスペクトルグループ化（即ち平均化）によって低分解能（ＬＲ）のパワースペクトル
2016500452.tif 000029
に変換されてもよい。よって、パワースペクトル
2016500452.tif 000030
は、ＳＩＤフレームＳＩから得られたノイズレベル
2016500452.tif 000031
と同じスペクトル分解能を示す。低分解能のノイズスペクトル
2016500452.tif 000032
を比較して、フル分解能のノイズスペクトル
2016500452.tif 000033
は最終的にスケールされ、次式のようにフル分解能のパワースペクトルを取得し得る。
2016500452.tif 000034
ここで、ＬLRは符号器における低分解能のノイズ推定によって使用されたスペクトルグループの数であり、ｂLR（ｉ）はｉ番目（ｉ＝０，．．．，ＬLR−１）の第１スペクトル帯域を示す。フル分解能のノイズパワースペクトル
2016500452.tif 000035
は、個別のＦＦＴ又はＱＭＦ帯域（後者はＳＷＢモードについてのみ）のそれぞれで生成されたコンフォートノイズのレベルを正確に調整するために最終的に使用され得る。
【００７５】
図１及び図２において、上述の機構はＦＦＴ係数だけに適用される。それ故、ＳＷＢシステムについて、上述の機構は、コア復号器によって無視された高周波数コンテンツを捕捉するＱＭＦ帯域には適用されない。これら周波数は知覚的には関連性が低いので、これら周波数についてノイズの円滑なスペクトル包絡を再構成するだけで、通常は十分である。
【００７６】
ＳＷＢモードにおけるコア帯域幅を超える周波数について、ＱＭＦドメインにおいて適用されたコンフォートノイズのレベルを調整するために、このシステムはＳＩＤフレームによって伝送された情報だけに依存する。そのため、ＶＡＤがＣＮＧフレームをトリガーした時、ＳＢＲモジュールはバイパスされる。ＷＢモードでは、ブラインド帯域幅拡張が所望の帯域幅を回復するために適用されるので、ＣＮＧモジュールはＱＭＦ帯域を考慮しない。
【００７７】
それにも拘わらず、本発明の方式は、復号器側のノイズ推定器を、コア復号器の出力において適用する代わりに、帯域幅拡張モジュールの出力において適用することによって、全帯域幅をカバーするように容易に拡張され得る。図３に示すように、ＱＭＦフィルタバンクによって捕捉された高周波数も同様に考慮されるべきであるから、この拡張は演算複雑性における増大をもたらす。
【００７８】
図４は本発明システムに好適な符号器１００の第１実施形態を示す。入力オーディオ信号ＩＳは、時間ドメイン信号ＩＳを周波数ドメインへ変換するよう構成された第１スペクトル変換器２５へ供給される。第１スペクトル変換器２５は直交ミラーフィルタ分析器であってもよい。第１スペクトル変換器２５の出力は、その第１スペクトル変換器２５の出力をあるドメインへと変換するよう構成された第２スペクトル変換器２６へ供給される。第２スペクトル変換器２６は直交ミラーフィルタ合成器であってもよい。第２スペクトル変換器２６の出力は、高速フーリエ変換装置であってもよい第３スペクトル変換器２７へ供給される。第３スペクトル変換器２７の出力は、変換装置２９とノイズ推定器３０とからなるノイズ推定装置２８へと供給される。
【００７９】
さらに、符号器１００は信号活性度検出器３１を含み、この信号活性度検出器３１は、活性期間中に入力信号がコア符号器３３へ供給され、不活性期間中にＳＩＤフレーム内でノイズ推定装置２８によって生成されたノイズ推定が無音挿入記述子符号器３５へと供給されるように、スイッチ装置３２を切り替えるべく構成されている。さらに、不活性期では、不活性フラグがコア更新器３４へ供給される。
【００８０】
符号器１００はビットストリーム生成器３６をさらに含み、このビットストリーム生成器３６は、無音挿入記述子符号器３５から無音挿入記述子フレームＳＩを受け取ると共に、コア符号器３３から符号化済み入力信号ＩＳＥを受け取り、それら信号からビットストリームＢＳを生成する。
【００８１】
図５は、第１実施形態の符号器１００に基づいた本発明システムに好適な符号器１００の第２実施形態を示す。第２実施形態の追加的特徴は、以下に簡単に説明する。第１変換器２５の出力はノイズ推定装置２８へも供給される。さらに、活性期間中、スペクトル帯域複製符号器３７は入力オーディオ信号ＩＳ内の高い周波数についての情報を含む強化信号ＥＳを生成する。この強化信号ＥＳはまた、この強化信号ＥＳをビットストリームＢＳへと埋め込むために、ビットストリーム生成器３６へと移送される。
【００８２】
図４及び図５に示された符号器に関して、以下の情報が追加されてもよい。すなわち、ＶＡＤがＣＮＧ相をトリガーした場合には、入力背景ノイズについての情報を含むＳＩＤフレームが伝送される。これにより、スペクトル−時間特性の観点から実際の背景ノイズに似ている人工的ノイズを、復号器が生成できるようになる。この目的のため、図４及び図５に示されるように、入力信号ＩＳ内に存在する背景ノイズのスペクトル形状を追跡するため、ノイズ推定器２８が符号器側に適用される。
【００８３】
原則として、ノイズ推定は、十分なスペクトル分解能を提供する限り、時間ドメイン信号を複数のスペクトル帯域へと分解する如何なるスペクトル−時間分析ツールにも適用可能である。本発明のシステムでは、入力信号をコアサンプリングレートへとダウンサンプルするリサンプリングツールとして、ＱＭＦフィルタバンクが使用される。このＱＭＦフィルタバンクは、ダウンサンプルされたコア信号へと適用されるＦＦＴに比べて、有意に低いスペクトル分解能を示す。
【００８４】
コア符号器３３は既に全ＮＢ帯域幅をカバーしており、ＷＢモードがブラインド帯域拡張に依存しているので、コア帯域幅を超える周波数は関係がなく、かつＮＢシステム及びＷＢシステムについては単に廃棄することができる。対照的に、ＳＷＢモードにおいては、これら周波数は高域のＱＭＦ帯域によって捕捉され、明確に考慮される必要がある。
【００８５】
ＳＩＤフレームＳＩのサイズは、実際上非常に制限される。したがって、背景ノイズを記述するパラメータの数はできるだけ少数に維持しなければならない。この目的で、ノイズ推定はスペクトル変換の出力に直接的には適用されない。それに代えて、帯域グループの中で入力パワースペクトルを平均化することによって、例えばバークスケールによって、より低いスペクトル分解能で適用される。この平均化は、算術的又は幾何学的手段のいずれかによって達成され得る。ＳＷＢの場合には、スペクトルグループ化はＦＦＴドメインとＱＭＦドメインとで別々に実行される一方、ＮＢモード及びＷＢモードはＦＦＴドメインにのみ依存する。
【００８６】
スペクトル分解能を低減することは、演算上の複雑さの点でもまた有利であることに注意すべきである。なぜなら、各スペクトル帯域を個別に考慮するのに代えて、ノイズ推定がごく少数のスペクトルグループに適用されるだけでよいからである。
【００８７】
推定されたノイズレベル（各スペクトルグループについて１つ）は、ベクトル量子化技術を使用して、合同的にＳＩＤフレームに符号化され得る。ＮＢ及びＷＢモードでは、ＦＦＴドメインだけが活用される。対照的に、ＳＷＢモードでは、ＳＩＤフレームの符号化は、ベクトル量子化を使用しながらＦＦＴ及びＱＭＦドメインの両方について合同的に、つまり両方のドメインをカバーする単一のコードブックを用いて実行され得る。
【００８８】
これまで装置を説明する文脈で幾つかの態様を示してきたが、これらの態様は対応する方法の説明でもあることは明らかであり、そのブロック又は装置が方法ステップ又は方法ステップの特徴に対応することは明らかである。同様に、方法ステップを説明する文脈で示した態様もまた、対応する装置の対応するブロックもしくは項目又は特徴を表している。方法ステップの幾つか又は全ては、例えばマイクロプロセッサ、プログラム可能なコンピュータ、又は電子回路等のハードウエア装置により（を使用して）実行されても良い。幾つかの実施形態においては、最も重要な方法ステップの内の１つ又は複数のステップはそのような装置によって実行されても良い。
【００８９】
所定の構成要件にも依るが、本発明の実施形態は、ハードウエア又はソフトウエアにおいて構成可能である。この構成は、その中に格納される電子的に読み取り可能な制御信号を有し、本発明の各方法が実行されるようにプログラム可能なコンピュータシステムと協働する（又は協働可能な）、デジタル記憶媒体、例えばフレキシブルディスク，ＤＶＤ，ブルーレイ，ＣＤ，ＲＯＭ，ＰＲＯＭ，ＥＰＲＯＭ，ＥＥＰＲＯＭ，フラッシュメモリなどの非一時的記憶媒体を使用して実行することができる。従って、そのデジタル記憶媒体はコンピュータ読み取り可能であっても良い。
【００９０】
本発明に従う幾つかの実施形態は、上述した方法の１つを実行するようプログラム可能なコンピュータシステムと協働可能で、電子的に読み取り可能な制御信号を有するデータキャリアを含む。
【００９１】
一般的に、本発明の実施例は、プログラムコードを有するコンピュータプログラム製品として構成することができ、このプログラムコードは当該コンピュータプログラム製品がコンピュータ上で作動するときに、本発明の方法の一つを実行するよう作動する。そのプログラムコードは例えば機械読み取り可能なキャリアに記憶されていても良い。
【００９２】
本発明の他の実施形態は、上述した方法の１つを実行するための、機械読み取り可能なキャリアに記憶されたコンピュータプログラムを含む。
【００９３】
換言すれば、本発明の方法のある実施形態は、そのコンピュータプログラムがコンピュータ上で作動するときに、上述した方法の１つを実行するためのプログラムコードを有するコンピュータプログラムである。
【００９４】
本発明の他の実施形態は、上述した方法の１つを実行するために記録されたコンピュータプログラムを含む、データキャリア（又はデジタル記憶媒体又はコンピュータ読み取り可能な媒体）である。データキャリア、デジタル記憶媒体、または記録された媒体は、典型的には有形であり、及び／又は非一時的である。
【００９５】
本発明の他の実施形態は、上述した方法の１つを実行するためのコンピュータプログラムを表現するデータストリーム又は信号列である。そのデータストリーム又は信号列は、例えばインターネットを介するデータ通信接続を介して伝送されるよう構成されても良い。
【００９６】
他の実施形態は、上述した方法の１つを実行するように構成又は適応された、例えばコンピュータ又はプログラム可能な論理デバイスのような処理手段を含む。
【００９７】
他の実施形態は、上述した方法の１つを実行するためのコンピュータプログラムがインストールされたコンピュータを含む。
【００９８】
本発明によるさらなる実施形態は、本明細書に記載の方法のうちの１つを実行するためのコンピュータプログラムを受信機へと（例えば電子的または光学的に）転送するよう構成された装置またはシステムを含む。受信機は、例えばコンピュータ、携帯デバイス、メモリデバイスなどであってもよい。装置またはシステムは、例えばコンピュータプログラムを受信機へと転送するためのファイルサーバを備えてもよい。
【００９９】
幾つかの実施形態においては、（例えば書換え可能ゲートアレイのような）プログラム可能な論理デバイスが、上述した方法の幾つか又は全ての機能を実行するために使用されても良い。幾つかの実施形態では、書換え可能ゲートアレイは、上述した方法の１つを実行するためにマイクロプロセッサと協働しても良い。一般的に、そのような方法は、好適には任意のハードウエア装置によって実行される。
【０１００】
上述した実施形態は、本発明の原理を単に例示的に示したにすぎない。本明細書に記載した構成及び詳細について修正及び変更が可能であることは、当業者にとって明らかである。従って、本発明は、本明細書に実施形態の説明及び解説の目的で提示した具体的詳細によって限定されるものではなく、添付した特許請求の範囲によってのみ限定されるべきである。
【符号の説明】
【０１０１】
１    オーディオ復号器
２    復号化装置
３    無音挿入記述子復号器
４    スペクトル変換器
５    ノイズ推定装置
６    分解能変換器
７    コンフォートノイズ・スペクトル推定装置
７ａ    スケーリングファクタ演算装置
７ｂ    コンフォートノイズ・スペクトル生成器
８      コンフォートノイズ発生器
９      変換装置
１０    ノイズ推定器
１１    第１変換器ステージ
１２    第２変換器ステージ
１５    第１高速フーリエ変換器
１６    第２高速フーリエ変換器
１７    コア復号器
１８    ヘッダ読み取り装置
１９    スイッチ装置
２０    帯域幅拡張モジュール
２１    スペクトル帯域複製復号器
２２    直交ミラーフィルタ分析器
２３    直交ミラーフィルタ合成器
２４    直交ミラーフィルタ調整装置
２５    第１スペクトル変換器
２６    第２スペクトル変換器
２７    第３スペクトル変換器
２８    ノイズ推定変換器
２９    変換装置
３０    ノイズ推定器
３１    信号活性度検出器
３２    スイッチ装置
３３    コア符号器
３４    コア更新器
３５    無音挿入記述子符号器
３６    ビットストリーム生成器
３７    スペクトル帯域複製符号器
１００    符号器
ＢＳ    ビットストリーム
ＯＳ    オーディオ出力信号
ＳＩ    無音挿入記述子フレーム
ＳＢＮ    背景ノイズのスペクトル
ＳＡＳ    オーディオ信号のスペクトル
ＳＮ１    オーディオ信号のノイズの第１スペクトル
ＳＮ２    オーディオ信号のノイズの第２スペクトル
ＳＦ    スケーリングファクタ
ＳＣＮ    コンフォートノイズのスペクトル
ＣＮ    コンフォートノイズ
ＡＳ    出力信号
ＣＳＡ    オーディオ信号の変換済みスペクトル
ＳＮ３    オーディオ信号のノイズの第３スペクトル
ＥＯＳ    帯域幅拡張された出力信号
ＩＳ    入力オーディオ信号
ＩＳＥ    符号化済み入力信号
ＥＳ    強化信号
【図１】
2016500452.tif 000048
【図２】
2016500452.tif 000049
【図３】
2016500452.tif 000050
【図４】
2016500452.tif 000051
【図５】
2016500452.tif 000052
【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
ビットストリーム（ＢＳ）を復号化して、前記ビットストリーム（ＢＳ）からオーディオ出力信号（ＯＳ）を生成するオーディオ復号器であって、前記ビットストリーム（ＢＳ）は少なくとも１つの不活性期へと続く少なくとも１つの活性期を含み、前記ビットストリーム（ＢＳ）は、その中に背景ノイズのスペクトル（ＳＢＮ）を記述する少なくとも１つの符号化された無音挿入記述子フレーム（ＳＩ）を有しており、
前記無音挿入記述子フレーム（ＳＩ）を復号化して、前記背景ノイズのスペクトル（ＳＢＮ）を再構成するよう構成された無音挿入記述子復号器（３）と、
活性期間中に前記ビットストリームから前記オーディオ出力信号（ＯＳ）を再構成するよう構成された復号化装置（２）と、
前記オーディオ出力信号（ＯＳ）のスペクトル（ＳＡＳ）を決定するよう構成されたスペクトル変換器（４）と、
前記スペクトル変換器（４）によって提供されたオーディオ出力信号（ＯＳ）のスペクトル（ＳＡＳ）に基づいて、前記オーディオ出力信号（ＯＳ）のノイズの第１スペクトル（ＳＮ１）を決定するよう構成されたノイズ推定装置（５）であって、前記オーディオ出力信号（ＯＳ）のノイズの第１スペクトル（ＳＮ１）は前記背景ノイズのスペクトル（ＳＢＮ）よりも高いスペクトル分解能を持つ、ノイズ推定装置（５）と、
前記オーディオ出力信号（ＯＳ）のノイズの第１スペクトル（ＳＮ１）に基づいて、前記オーディオ出力信号（ＯＳ）のノイズの第２スペクトル（ＳＮ２）を確定するよう構成された分解能変換器（６）であって、前記オーディオ出力信号（ＯＳ）のノイズの第２スペクトル（ＳＮ２）は前記背景ノイズのスペクトル（ＳＢＮ）と同じスペクトル分解能を持つ、分解能変換器（６）と、
前記無音挿入記述子復号器（３）によって提供された前記背景ノイズのスペクトル（ＳＢＮ）と、前記分解能変換器（６）によって提供された前記オーディオ出力信号（ＯＳ）のノイズの第２スペクトル（ＳＮ２）とに基づいて、コンフォートノイズ（ＣＮ）のスペクトル（ＳＣＮ）のスケーリングファクタ（ＳＦ）を計算するよう構成されたスケーリングファクタ演算装置（７ａ）と、前記スケーリングファクタ（ＳＦ）に基づいてコンフォートノイズ（ＣＮ）のスペクトル（ＳＣＮ）を計算するよう構成されたコンフォートノイズ・スペクトル生成器（７ｂ）と、を含むコンフォートノイズ・スペクトル推定装置（７）と、
前記コンフォートノイズ（ＣＮ））のスペクトル（ＳＣＮ）に基づいて不活性期間中にコンフォートノイズ（ＣＮ）を生成するよう構成されたコンフォートノイズ発生器（８）と、
を含むオーディオ復号器。
【請求項２】
前記スペクトル変換器（４）は高速フーリエ変換装置（４）を含む、請求項１に記載のオーディオ復号器。
【請求項３】
前記ノイズ推定装置（５）は、前記オーディオ出力信号（ＯＳ）のスペクトル（ＳＡＳ）を前記オーディオ出力信号（ＯＳ）の変換済みスペクトル（ＣＳＡ）へと変換するよう構成された変換装置（９）を含み、前記変換済みスペクトル（ＣＳＡ）は、前記オーディオ出力信号（ＯＳ）の前記スペクトル（ＳＡＳ）と同じ又はそれより低いスペクトル分解能を有し、かつ前記背景ノイズのスペクトル（ＳＢＮ）よりも高いスペクトル分解能を有する、請求項１又は２に記載のオーディオ復号器。
【請求項４】
前記ノイズ推定装置（５）は、前記変換装置（９）によって提供された前記オーディオ出力信号（ＯＳ）の変換済みスペクトル（ＣＳＡ）に基づいて、前記オーディオ出力信号（ＯＳ）のノイズの前記第１スペクトル（ＳＮ１）を決定するよう構成された、ノイズ推定器（１０）を含む、請求項３に記載のオーディオ復号器。
【請求項５】
前記スケーリングファクタ演算装置（７ａ）は、次式に従ってスケーリングファクタ（ＳＦ）を計算するよう構成されており、
2016500452.tif 000053
ここで、
2016500452.tif 000054
は前記コンフォートノイズ（ＣＮ）の周波数帯域グループｉについてのスケーリングファクタ（ＳＦ）を示し、
2016500452.tif 000055
は前記背景ノイズのスペクトル（ＳＢＮ）の周波数帯域グループｉのレベルを示し、
2016500452.tif 000056
は前記オーディオ出力信号（ＯＳ）のノイズの前記第２スペクトル（ＳＮ２）の周波数帯域グループｉのレベルを示し、ｉ＝０，．．．，ＬLR−１であり、ＬLRは前記背景ノイズのスペクトル（ＳＢＮ）及び前記オーディオ出力信号（ＯＳ）のノイズの前記第２スペクトル（ＳＮ２）の周波数帯域グループの数である、請求項１乃至４のいずれか１項に記載のオーディオ復号器。
【請求項６】
前記コンフォートノイズ・スペクトル生成器（７ｂ）は、前記スケーリングファクタ（ＳＦ）と、前記ノイズ推定装置（５）によって提供された前記オーディオ出力信号（ＯＳ）のノイズの前記第１スペクトル（ＳＮ１）とに基づいて、前記コンフォートノイズのスペクトル（ＳＣＮ）を計算するよう構成された、請求項１乃至５のいずれか１項に記載のオーディオ復号器。
【請求項７】
前記コンフォートノイズ・スペクトル生成器（７ｂ）は、次式に従って前記コンフォートノイズのスペクトル（ＳＣＮ）を計算するよう構成されており、
2016500452.tif 000057
ここで、
2016500452.tif 000058
は前記コンフォートノイズ（ＳＣＮ）のスペクトルの周波数帯域ｋのレベルを示し、
2016500452.tif 000059
は前記背景ノイズのスペクトル（ＳＢＮ）と前記オーディオ出力信号のノイズの前記第２スペクトル（ＳＮ２）との周波数帯域グループｉのスケーリングファクタ（ＳＦ）を示し、
2016500452.tif 000060
は前記オーディオ出力信号（ＯＳ）のノイズの前記第１スペクトル（ＳＮ１）の周波数帯域ｋのレベルを示し、ｋ＝ｂLR（ｉ），．．．，ｂLR（ｉ＋１）−１であり、ｂLR（ｉ）は前記周波数帯域グループの１つの第１周波数帯域であり、ｉ＝０，．．．，ＬLR−１であり、ＬLRは前記背景ノイズのスペクトル（ＳＢＮ）及び前記オーディオ出力信号（ＯＳ）のノイズの前記第２スペクトル（ＳＮ２）の周波数帯域グループの数である、請求項１乃至６のいずれか１項に記載のオーディオ復号器。
【請求項８】
前記分解能変換器（６）は、前記オーディオ出力信号（ＯＳ）のノイズの前記第１スペクトル（ＳＮ１）に基づいて前記オーディオ出力信号（ＯＳ）のノイズの第３スペクトル（ＳＮ３）を確定するよう構成された第１変換器ステージ（１１）を含み、前記オーディオ出力信号（ＯＳ）のノイズの前記第３スペクトル（ＳＮ３）のスペクトル分解能は前記オーディオ出力信号（ＯＳ）のノイズの前記第１スペクトル（ＳＮ１）のスペクトル分解能と同じ又はそれより高く、前記分解能変換器（６）は前記オーディオ出力信号（ＯＳ）のノイズの前記第２スペクトル（ＳＮ２）を確定するよう構成された第２変換器ステージ（１２）を含む、請求項１乃至７のいずれか１項に記載のオーディオ復号器。
【請求項９】
前記コンフォートノイズ・スペクトル生成器（７ｂ）は、前記スケーリングファクタ（ＳＦ）と前記分解能変換器（６）の前記第１変換器ステージ（１１）によって提供された前記オーディオ出力信号（ＯＳ）のノイズの前記第３スペクトル（ＳＮ３）とに基づいて、前記コンフォートノイズのスペクトル（ＳＣＮ）を計算するよう構成されている、請求項８に記載のオーディオ復号器。
【請求項１０】
前記コンフォートノイズ・スペクトル生成器（７ｂ）は、次式に従って前記コンフォートノイズのスペクトル（ＳＣＮ）を計算するよう構成され、
2016500452.tif 000061
ここで、
2016500452.tif 000062
は前記コンフォートノイズのスペクトル（ＳＣＮ）の周波数帯域ｋのレベルを示し、
2016500452.tif 000063
は前記背景ノイズのスペクトル（ＳＢＮ）と前記オーディオ出力信号のノイズの前記第２スペクトル（ＳＮ２）との周波数帯域グループｉのスケーリングファクタ（ＳＦ）を示し、
2016500452.tif 000064
は前記オーディオ出力信号（ＯＳ）のノイズの前記第３スペクトル（ＳＮ３）の周波数帯域ｋのレベルを示し、ｋ＝ｂLR（ｉ），．．．，ｂLR（ｉ＋１）−１であり、ｂLR（ｉ）は周波数帯域グループの第１周波数帯域であり、ｉ＝０，．．．，ＬLR−１であり、ＬLRは前記背景ノイズのスペクトル（ＳＢＮ）と前記オーディオ出力信号（ＯＳ）のノイズの前記第２スペクトル（ＳＮ２）との周波数帯域グループの数である、請求項８又は９に記載のオーディオ復号器。
【請求項１１】
前記コンフォートノイズ発生器（８）は、高速フーリエ変換ドメインにおいて前記コンフォートノイズ（ＣＮ）の周波数帯域のレベルを調整する第１高速フーリエ変換器（１５）と、前記第１高速フーリエ変換器（１５）の出力に基づいて前記コンフォートノイズの少なくとも一部を生成する第２高速フーリエ変換器（１６）とを備える、請求項１乃至１０のいずれか１項に記載のオーディオ復号器。
【請求項１２】
前記復号化装置（２）は、活性期間中に前記オーディオ出力信号（ＯＳ）を生成するよう構成されたコア復号器（１７）を備える、請求項１乃至１１のいずれか１項に記載のオーディオ復号器。
【請求項１３】
前記復号化装置（２）は、オーディオ信号（ＡＳ）を生成するよう構成されたコア復号器（１７）と、前記コア復号器（１７）によって生成された前記オーディオ信号（ＡＳ）に基づいて前記オーディオ出力信号（ＯＳ）を生成するよう構成された帯域幅拡張モジュール（２０）とを備える、請求項１乃至１１のいずれか１項に記載のオーディオ復号器。
【請求項１４】
前記帯域幅拡張モジュール（２０）は、スペクトル帯域複製復号器（２１）、直交ミラーフィルタ分析器（２２）、及び／又は直交ミラーフィルタ合成器（２３）を備える、請求項１３に記載のオーディオ復号器。
【請求項１５】
前記高速フーリエ変換器（１５）によって生成された前記コンフォートノイズ（ＣＮ）は、前記帯域幅拡張モジュール（２０）へと供給される、請求項１３又は１４に記載のオーディオ復号器。
【請求項１６】
前記コンフォートノイズ発生器（８）は、直交ミラーフィルタドメインにおいて前記コンフォートノイズ（ＣＮ）の周波数帯域のレベルを調整する直交ミラーフィルタ調整装置（２４）を備え、前記直交ミラーフィルタ調整装置（２４）の出力は前記帯域幅拡張モジュール（２０）へと供給される、請求項１３乃至１５のいずれか１項に記載のオーディオ復号器。
【請求項１７】
請求項１乃至１６のいずれか１項に従って設計された復号器（１）と、符号器（１００）と、を備えるシステム。
【請求項１８】
ビットストリーム（ＢＳ）を復号化して、前記ビットストリーム（ＢＳ）からオーディオ出力信号（ＯＳ）を生成する方法であって、前記ビットストリーム（ＢＳ）は少なくとも１つの不活性期へと続く少なくとも１つの活性期を含み、前記ビットストリーム（ＢＳ）は、その中に背景ノイズのスペクトル（ＳＢＮ）を記述する少なくとも１つの符号化された無音挿入記述子フレーム（ＳＩ）を有しており、
前記無音挿入記述子フレーム（ＳＩ）を復号化して、前記背景ノイズのスペクトル（ＳＢＮ）を再構成するステップと、
活性期間中に前記ビットストリームから前記オーディオ出力信号（ＯＳ）を再構成するステップと、
前記オーディオ出力信号（ＯＳ）のスペクトル（ＳＡＳ）を決定するステップと、
前記オーディオ出力信号（ＯＳ）の前記スペクトル（ＳＡＳ）に基づいて、前記オーディオ出力信号（ＯＳ）のノイズの第１スペクトル（ＳＮ１）を決定するステップであって、前記オーディオ出力信号（ＯＳ）のノイズの前記第１スペクトル（ＳＮ１）は前記背景ノイズのスペクトル（ＳＢＮ）よりも高いスペクトル分解能を持つ、ステップと、
前記オーディオ出力信号（ＯＳ）のノイズの前記第１スペクトル（ＳＮ１）に基づいて、前記オーディオ出力信号（ＯＳ）のノイズの第２スペクトル（ＳＮ２）を確定するステップであって、前記オーディオ出力信号（ＯＳ）のノイズの前記第２スペクトル（ＳＮ２）は前記背景ノイズのスペクトル（ＳＢＮ）と同じスペクトル分解能を持つ、ステップと、
前記背景ノイズのスペクトル（ＳＢＮ）と、前記オーディオ出力信号（ＯＳ）のノイズの前記第２スペクトル（ＳＮ２）とに基づいて、コンフォートノイズ（ＣＮ）のスペクトル（ＳＣＮ）のスケーリングファクタ（ＳＦ）を計算するステップと、
前記コンフォートノイズ（ＣＮ）のスペクトル（ＳＣＮ）に基づいて不活性期間中に前記コンフォートノイズ（ＣＮ）を生成するステップと、
を含む方法。
【請求項１９】
コンピュータ又はプロセッサ上で実行された時、請求項１８に記載の方法を実行するためのコンピュータプログラム。
【手続補正２】
【補正対象書類名】明細書
【補正対象項目名】００１８
【補正方法】変更
【補正の内容】
【００１８】
本発明の好ましい実施形態によれば、スペクトル変換器は高速フーリエ変換装置を含む。高速フーリエ変換（ＦＦＴ）は離散フーリエ変換（ＤＦＴ）とその逆とを計算するアルゴリズムであり、非常に低い演算労力しか必要としない。したがって、高速フーリエ変換装置は、オーディオ出力信号のスペクトルを容易な方法で計算できる。
【手続補正３】
【補正対象書類名】明細書
【補正対象項目名】００２１
【補正方法】変更
【補正の内容】
【００２１】
本発明の好ましい実施形態によれば、スケーリングファクタ演算装置は次式に従ってスケーリングファクタを計算するよう構成されており、
2016500452.tif 000065
ここで、
2016500452.tif 000066
はコンフォートノイズの周波数帯域グループｉについてのスケーリングファクタを示し、
2016500452.tif 000067
はＳＩＤフレームに含まれた背景ノイズのスペクトルの周波数帯域グループｉのレベルを示し、
2016500452.tif 000068
はオーディオ出力信号のノイズの第２スペクトルの周波数帯域グループｉのレベルを示し、ｉ＝０，．．．，ＬLR−１であり、ＬLRはＳＩＤフレームに含まれた背景ノイズのスペクトルの周波数帯域グループ及びオーディオ出力信号のノイズの第２スペクトルの周波数帯域グループの数である。これら特徴によって、スケーリングファクタは容易な方法で計算され得る。
【手続補正４】
【補正対象書類名】明細書
【補正対象項目名】００３１
【補正方法】変更
【補正の内容】
【００３１】
本発明の好ましい実施形態によれば、前記高速フーリエ変換器によって生成されたコンフォートノイズは前記帯域幅拡張モジュールへと供給される。この特徴により、高速フーリエ変換器によって生成されたコンフォートノイズはより広い帯域幅を持つコンフォートノイズへと変換されてもよい。
【手続補正５】
【補正対象書類名】明細書
【補正対象項目名】００３２
【補正方法】変更
【補正の内容】
【００３２】
本発明の好ましい実施形態によれば、コンフォートノイズ発生器は、直交ミラーフィルタドメインにおいてコンフォートノイズの周波数帯域のレベルを調整する直交ミラーフィルタ調整装置を備え、前記直交ミラーフィルタ調整装置の出力は帯域幅拡張モジュールへと供給される。これら特徴により、無音挿入記述子フレームによって伝送され、コア復号器の帯域幅を超えるノイズ周波数に関連したノイズ情報が、コンフォートノイズのさらなる改善のために用いられても良い。
【手続補正６】
【補正対象書類名】明細書
【補正対象項目名】００３４
【補正方法】変更
【補正の内容】
【００３４】
他の態様において、本発明はオーディオビットストリームを復号化して、そこからオーディオ出力信号を生成する方法に関係しており、そのビットストリームは少なくとも１つの不活性期へと続く少なくとも１つの活性期を含み、そのビットストリームは、その中に背景ノイズのスペクトルを記述する少なくとも１つの符号化された無音挿入記述子フレームを有しており、前記方法は、以下のステップを含む。
無音挿入記述子フレームを復号化して、背景ノイズのスペクトルを再構成するステップ；
活性期間中にビットストリームからオーディオ出力信号を再構成するステップ；
オーディオ出力信号のスペクトルを決定するステップ；
前記オーディオ出力信号のスペクトルに基づいて、オーディオ出力信号のノイズの第１スペクトルを決定するステップであって、オーディオ出力信号のノイズの第１スペクトルは背景ノイズのスペクトルよりも高いスペクトル分解能を持つ、ステップ；
オーディオ出力信号のノイズの第１スペクトルに基づいて、オーディオ出力信号のノイズの第２スペクトルを確定するステップであって、オーディオ出力信号のノイズの第２スペクトルは背景ノイズのスペクトルと同じスペクトル分解能を持つ、ステップ；
背景ノイズのスペクトルと、オーディオ出力信号のノイズの第２スペクトルとに基づいて、コンフォートノイズのスペクトルのスケーリングファクタを計算するステップ；
コンフォートノイズのスペクトルに基づいて不活性期間中にコンフォートノイズを生成するステップ。
【手続補正７】
【補正対象書類名】明細書
【補正対象項目名】００５１
【補正方法】変更
【補正の内容】
【００５１】
本発明の望ましい実施形態によれば、スペクトル変換器４は、高速フーリエ変換装置を含む。高速フーリエ変換（ＦＦＴ）は離散フーリエ変換（ＤＦＴ）とその逆とを計算するアルゴリズムであり、非常に低い演算労力しか必要としない。したがって、高速フーリエ変換装置は、オーディオ出力信号ＯＳのスペクトルＳＡＳを容易な方法で計算できる。
【手続補正８】
【補正対象書類名】明細書
【補正対象項目名】００５４
【補正方法】変更
【補正の内容】
【００５４】
本発明の好ましい実施形態によれば、スケーリングファクタ演算装置７ａは次式に従ってスケーリングファクタＳＦを計算するよう構成されており、
2016500452.tif 000069
ここで、
2016500452.tif 000070
はコンフォートノイズＣＮの周波数帯域グループｉについてのスケーリングファクタＳＦを示し、
2016500452.tif 000071
は背景ノイズのスペクトルＳＢＮの周波数帯域グループｉのレベルを示し、
2016500452.tif 000072
はオーディオ出力信号のノイズの第２スペクトルＳＮ２の周波数帯域グループｉのレベルを示し、ｉ＝０，．．．，ＬLR−１であり、ＬLRは背景ノイズのスペクトルＳＢＮ及びオーディオ出力信号ＯＳのノイズの第２スペクトルＳＮ２の周波数帯域グループの数である。これら特徴によって、スケーリングファクタＳＦは容易な方法で計算され得る。
【手続補正９】
【補正対象書類名】明細書
【補正対象項目名】００６２
【補正方法】変更
【補正の内容】
【００６２】
本発明の好ましい実施形態によれば、オーディオ復号器１は、活性期と不活性期とを区別するよう構成されたヘッダ読み取り装置１８を備える。ヘッダ読み取り装置１８はさらに、活性期間中ビットストリームＢＳをコア復号器１７へ供給し、かつ不活性期間中、無音挿入記述子フレームを無音挿入記述子復号器３へと供給するように、スイッチ装置１９を切り替えるよう構成されている。追加的に、コンフォートノイズＣＮの生成をトリガーできるように、不活性期フラグがコンフォートノイズ発生器８へと伝送される。
【手続補正１０】
【補正対象書類名】明細書
【補正対象項目名】００６４
【補正方法】変更
【補正の内容】
【００６４】
本発明の好ましい実施形態によれば、高速フーリエ変換器１６によって出力されたコンフォートノイズＣＮは帯域幅拡張モジュール２０へと供給される。この特徴により、高速フーリエ変換器によって出力されたコンフォートノイズＣＮはより広い帯域幅を持つコンフォートノイズＣＮへと変換され得る。
【手続補正１１】
【補正対象書類名】明細書
【補正対象項目名】００６５
【補正方法】変更
【補正の内容】
【００６５】
本発明の好ましい実施形態によれば、コンフォートノイズ発生器８は、直交ミラーフィルタドメインにおいてコンフォートノイズＣＮの周波数帯域のレベルを調整するよう構成された直交ミラーフィルタ調整器２４を備えており、直交ミラーフィルタ調整器２４の出力は追加的なコンフォートノイズＣＮ１として帯域幅拡張モジュール２０へと供給される。無音挿入記述子フレームＳＩ内に含まれたＱＭＦレベルは、直交ミラーフィルタ調整器２４へと供給されてもよい。これら特徴により、無音挿入記述子フレームＳＩによって伝送され、かつコア復号器１７の帯域幅を超えるノイズ周波数に関連したノイズ情報は、コンフォートノイズＣＮのさらなる改善のために用いられても良い。
【国際調査報告】
2016500452.tif 000073
2016500452.tif 000074
2016500452.tif 000075
2016500452.tif 000076
2016500452.tif 000077